(57)【要約】  本発明は、列で配置されるガラス瓶１０を収容するための内部空間９を有するキャビネット２、内部空間９を冷却するための冷却要素および内部空間９からガラス瓶１０を取り出すための少なくとも１つの扉８またはディスペンサを備える、（生物）薬剤物質、特に動物用のワクチンを格納するガラス瓶１０を貯蔵するための冷蔵庫１に関する。複数の案内部１２、１５が空間９の内側に配置され、ガラス瓶１０の列を摺動的に収容するようになされる。本発明は、前記冷蔵庫１に使用するのに適したカートリッジ１１にも関する。
2008545485.tif 000002
【特許請求の範囲】
【請求項１】
（生物）薬剤物質、特に動物用のワクチンを格納するガラス瓶（１０）を貯蔵するための冷蔵庫（１）であって、列で配置されるガラス瓶（１０）を収容するための内部空間（９）を有するキャビネット（２）、内部空間（９）を冷却するための冷却要素および内部空間（９）からガラス瓶（１０）を取り出すための少なくとも１つの扉（８）またはディスペンサを備えてなり、空間（９）の内側に配置され、ガラス瓶（１０）の列を摺動的に収容するようになされた複数の案内部（１２、１５）を特徴とする、冷蔵庫。
【請求項２】
案内部（１２、１５）のそれぞれまたは案内部（１２、１５）の各セットが、ガラス瓶（１０）を案内部（１２、１５）から、好ましくはそれぞれの案内部または案内部（１２、１５）のセットの一端部で取り出すことができる分配区画を備える、請求項１に記載の冷蔵庫（１）。
【請求項３】
列が垂直成分を有する方向に延びる、かつ／または案内部（１２、１５）または案内部（１２、１５）のセットのうちの少なくともいくつかが、ガラス瓶（１０）を分配区画に向けて付勢するための手段に関連付けられる、請求項１または２に記載の冷蔵庫（１）。
【請求項４】
案内部（１２、１５）または案内部（１２、１５）のセットが空間（９）の内側に脱着可能に装着されるカートリッジ（１１）の一部である、請求項１から３のいずれか一項に記載の冷蔵庫（１）。
【請求項５】
それぞれがディスペンサである扉（８）が１つまたは複数の列の分配区画のところに配置され、限られた数のガラス瓶（１０）へのアクセスを可能にする、請求項１から４のいずれか一項に記載の冷蔵庫（１）。
【請求項６】
それぞれがディスペンサである扉（８）がそのような列の部分の最大３列へのアクセスを可能にする、請求項５に記載の冷蔵庫（１）。
【請求項７】
案内部（１２、１５）の両端部に少なくとも１つの扉（６、８）を備える、請求項１から６のいずれか一項に記載の冷蔵庫（１）。
【請求項８】
キャビネット（２）が少なくとも２つの互いに着脱式のハウジング（３、４）と、内部空間（９）および案内部（１２、１５）を有する第１のハウジング（４）と、冷却要素を備える第２のハウジング（３）とを備える、請求項１から７のいずれか一項に記載の冷蔵庫（１）。
【請求項９】
キャビネット（２）の前面壁が少なくとも部分的に透明である、請求項１から８のいずれか一項に記載の冷蔵庫（１）。
【請求項１０】
複数のガラス瓶（１０）を摺動的に収容するようになされた案内部（１２、１５）を備える、請求項１から９のいずれか一項に記載の冷蔵庫（１）に使用するためのカートリッジ（１１）。
【請求項１１】
後壁（１３）によって連結され、カートリッジ（１１）が意図されているガラス瓶（１０）の幅よりわずかに大きなある距離だけ離される２つの平行な側壁（１２）を備える、請求項１０に記載のカートリッジ（１１）。
【請求項１２】
カートリッジ（１１）の中心に向かって傾き、側壁（１２）の大部分の長さに沿って延びる、２つのリップ（１５）を備える、請求項１１に記載のカートリッジ（１１）。
【請求項１３】
薬剤物質、特に動物用のワクチンを格納する複数のガラス瓶（１０）を保持する、請求項１０から１２のいずれか一項に記載のカートリッジ（１１）。
【発明の詳細な説明】
【技術分野】
【０００１】
本発明は、列で配置されるガラス瓶を収容するための内部空間を有するキャビネット、この内部空間を冷却するための冷却要素および内部空間からガラス瓶を取り出すための少なくとも１つの扉またはディスペンサを備える、（生物）薬剤物質、特に動物用のワクチンを格納するガラス瓶を貯蔵するための冷蔵庫に関する。本発明は、そのような冷蔵庫に使用するのに適したカートリッジにも関する。
【背景技術】
【０００２】
ガラス瓶を貯蔵するための冷蔵庫は知られている。ドイツ国実用新案第ＤＥ２０００７８８９Ｕ１号は、断熱層（２）、アンプル用のホルダー、ペルチェモジュール（５）に連結された熱偏向板（４）、およびファンを有する、（図で数字１で表示される）薬剤用の断熱ケースに関する。電子制御ブロック（６）は、電圧制御器、動作電圧制御システム、過熱保護システムおよびサーモスタットを有する。この制御ブロック（６）は、ペルチェモジュール（５）およびファンを制御する。さらに、ケースの前壁が扉として役目を果たす。
【０００３】
国際公開第８７／０７７０４号は、インシュリンアンプルを受けることができるように設計された冷却室に関する。そのサイズは、全ての欧州の製造者のアンプルを収容できるようなものである。この冷却室は、主電源およびバッテリ使用用に設計される冷蔵ユニットに適している。
【０００４】
デンマーク国特許第４６８３８０号は、圧縮機への長期間電力供給中断の条件の下でも貯蔵温度を維持する冷蔵庫の使用を可能にするために、冷蔵庫の貯蔵区画の側壁に接触して配置される冷却蓄熱装置を有する圧縮機によって駆動される冷蔵庫用の装置に関する。この冷却蓄熱装置は、互いにしっかりと接触して立ち、約０℃の氷点を有する流体を格納する多数の垂直なチューブ１７からなる。このチューブ１７は、冷蔵庫の上側縁部の平面部１９に置かれ、チューブ用のシュートを有する上枠１８を使用して所定の位置に持ち込まれる。
【発明の開示】
【発明が解決しようとする課題】
【０００５】
（生物）薬剤物質を格納するガラス瓶を貯蔵するための改善された冷蔵庫を提供することが本発明のひとつの目的である。
【課題を解決するための手段】
【０００６】
この目的のために本発明による冷蔵庫は、空間の内側に配置され、ガラス瓶の列を摺動的に収容するようになされた案内部を備える。
【０００７】
この案内部のそれぞれまたは案内部の各セットは、ガラス瓶が案内部から、好ましくはそれぞれの案内部または案内部のセットの一端で容易に取りだすことができる分配区画を備えることが好ましい。
【０００８】
この案内部は、冷蔵庫のよりシステマチックな、安全かつ／または衛生的な使用を容易にし、以下で説明するように、１つまたは複数の比較的小さな入り口、例えば１つまたは複数の引き出しまたはエアロックなどの１つまたは複数の比較的小さな扉またはディスペンサの使用を可能にする。
【０００９】
これらの列は、垂直成分を有する方向に、すなわち水平ではなく延びる、かつ／または案内部のうちの少なくともいくつかが、ガラス瓶を分配区画に向けて付勢するための、ばねなどの手段に関連付けられるのが好ましい。そのような実施形態では、ガラス瓶を例えば案内部の一端のところの分配区画に向けて押しやり、その結果、ガラス瓶を前記の分配区画のところで定位置に保持し、その区画のガラス瓶が取り出されるとき残りのガラス瓶を分配区画に押すために、重力および／またはばね等を使用することができる。
【００１０】
それぞれディスペンサであるドアが１つまたは複数の列の分配区画のところに配置され、限られた数のガラス瓶または単に１つのガラス瓶にのみアクセスが可能な場合は、内部空間の内側の温度の変動は効果的に減少する。
【００１１】
このキャビネットが少なくとも２つの互いに着脱式のハウジングを備え、第１のハウジングがガラス瓶を格納し、第２のハウジングが冷却要素を備えることがさらに好ましい。この結果、第１のハウジングは持ち運びでき、例えば医師または獣医に携行されることができる。特に第１のハウジングが比較的長距離を越えて輸送されるであろう場合またはそうではなく長い時間第２のハウジングから分離される場合は、前記人物の輸送手段、通常は車またはバン、または例えば第２の手術室または別館が冷却要素を備える補助の第２のハウジングを装備することが好ましい。
【００１２】
本発明は、複数のガラス瓶を摺動的に収容するようになされた案内部を備える、上記で説明した冷蔵庫に使用するためのカートリッジにも関する。そのようなカートリッジは、複数のガラス瓶をまとめ、ガラス瓶の分配およびキャビネットの再充填を容易にする手段として使用することができる。
【００１３】
本発明の枠組み内で、単語「カートリッジ」は、ガラス瓶の列を摺動的に保持するのに適した、カセット、クリップ、ならびに実に任意の物を含む。
【発明を実施するための最良の形態】
【００１４】
次に本発明を、現在好ましい実施形態を概略的に示す図面を参照して、より詳細に説明する。
【００１５】
図面は必ずしも縮尺通りではなく、本発明の理解に必要でない詳細は省略されている可能性があることに留意されたい。用語「上側」、「下側」、「垂直の」、「水平の」、「前面」、「後面」、「側」等は、図で向けられている実施形態に関する。さらに、少なくとも実質的に同一である、または少なくと実質的に同一な機能を果たす要素は、同じ番号によって指示されている。
【００１６】
図１は、薬剤または生物薬剤物質、特に動物用のワクチンを格納するガラス瓶を貯蔵するための、本発明による冷蔵庫１を示す。この冷蔵庫１は、壁上にまたは車両の内側に装着されるべき後面ハウジング３と、例えばフックおよびスロット、磁石またはＶｅｌｃｒｏ（登録商標）を使用して後面ハウジング３の前面側に着脱式に装着される前面ハウジング４とを有するキャビネット２を備える。
【００１７】
後面ハウジング３は冷却要素（図示せず）、好ましくは板のうちの前面が後面ハウジング３の前壁のかなりの区画にわたり延びる２枚の熱伝導性板、例えば２枚のアルミニウム板の間に挟まれるペルチェ素子を格納する。換気格子５が底部表面および上表面に含まれる。さらに、後面ハウジング３は、冷却要素の高温側を冷却するための換気装置、冷却要素および換気装置、ならびに後面ハウジング３の前壁内に設けられるコネクタに接続される制御ユニット、およびバッテリパックまたは主電源または車両のバッテリに接続すべきトランスを備える。
【００１８】
前面ハウジング４は、後面ハウジング３に幅および高さで対応し、以下で説明するように、案内部に沿って実質的に垂直な列で配置される多数のガラス瓶１０を収容する内部空間９にアクセスを全て可能にする、３セットの扉６、７、８を備える。最下部の扉８は実質的に垂直に延び、これら扉（６）のそれぞれの上側リムは前面ハウジング４に枢動可能に連結される。これらの扉８のうちの１つを前向きかつ上向きに枢動させることによって、例えば３つの隣接する列の群内の最下部のガラス瓶１０が露出され、したがって、このガラス瓶１０のそれぞれの列からの取り出しが可能になる。
【００１９】
最上部の扉６は実質的に水平に延び、前面ハウジング４の上壁内に枢動的に装着される。これらの扉６のうちの１つを上向きかつ後ろ向きに枢動させることによって、ガラス瓶１０の例えば３つの隣接する列の群がやはり露出される。
【００２０】
前面ハウジング４が後面ハウジング３に装着されるとき、前面ハウジング４の後壁はペルチェ素子に当接する。
【００２１】
内部空間９の内側の列に沿って延びる、垂直ダクトまたは仕切り壁などの常設的な案内部は、ガラス瓶１０を摺動的に収容するための効果的な手段をもたらすであろうが、細長いカートリッジ１１が空間９内に並んで脱着可能に装着されるのが好ましい。
【００２２】
本発明の冷蔵庫１に使用するためのものである好ましいカートリッジ１１の一例が図２Ａおよび２Ｂに示されている。この好ましいカートリッジ１１は、後壁１３および底部壁１４によって連結される２つの平行な側壁１２を備える。この側壁１２は、ガラス瓶１０の幅よりわずかに大きなある距離だけ離されている。この好ましい実施形態では、底部壁１４はガラス瓶１０の形状に合わせている、すなわち半円形の断面を有する。カートリッジ１１の対称の面に向かって傾いている２枚の保持ストリップ１５が、側壁１２のほとんど全長に沿って、すなわちガラス瓶１０の幅に対応する底部壁１４の上方に、ある距離まで延びる。側壁１２と共に、これらの保持ストリップ１５はガラス瓶１０の列を摺動的に保持する効果的な案内部を形成し、カートリッジ１１の底部端のところでの分配位置を画定する、すなわち最下部のガラス瓶１０は、残りのガラス瓶の列に対して実質的に直角な方向にカートリッジ１１から外に引き出すことができる。
【００２３】
この分配位置は、原理的にカートリッジ１１をガラス瓶で満たすためにも使用することができるが、カートリッジ１１が図２Ａおよび２Ｂに示すように、好ましくはカートリッジ１１のもう１つの端部に充填区画をさらに備えることが好ましい。すなわち、このカートリッジ１１は、ガラス瓶１０の首を保持ストリップ１５の間に摺動させて入れて、カートリッジ１１の頂部開口部内にガラス瓶を入れることによって充填することができる。
【００２４】
図面に示す実施形態では、前面ハウジング４の前面壁はさらに、保守または清掃のために内部空間９へのアクセスを可能にする１つまたは複数の、例えば２つの比較的大きな扉７を備える。別法として、この前面壁は、前面ハウジング４に固定して取り付けられ、または前面ハウジングと一体的な全体を形成する。
【００２５】
この前面壁はさらに、ペルチェ素子を入りまたは切にするスイッチ、および制御ユニット内に記憶される最小限温度に対する選択される閾値に到達したことを指示する警告灯を備える。別法としてまたは加えるに、このキャビネットに、例えば必要な温度を設定するための調節器、設定および／または（例えば内部空間内に配置される熱電対を使用して測定される）実際の温度を示す小さな表示器、および／または選択される閾値に達したとき警報を鳴らすためのスピーカを備えることができる。前面ハウジングの後部壁には、後面ハウジングの前面壁上のコネクタに着脱式に接続され、したがって、前記スイッチ、警告灯、調節器、表示器および冷蔵庫を動作させるための他の要素を制御ユニットに接続する対応するコネクタが設けられる。
【００２６】
後面および前面区画の壁は、ＡＢＳ、ＰＣまたは繊維充填ＰＰなどの射出成型される熱可塑性高分子から作られるのが好ましい。少なくとも前面ハウジングの壁は、前記射出成型された熱可塑性高分子の内側壁と外側壁の間に挟まれた、例えば発泡ポリウレタンまたはポリエステル発泡体の層、および任意選択でアルミニウムの反射フィルムを使用して断熱される。扉上の断熱された区画は、ゴムリングなどのシール（１６）によって取り囲まれのが好ましい。
【００２７】
さらに、前面壁の部分、例えば比較的大きな扉７の下側区画が、キャビネットを使用する人がどのガラス瓶、したがって、どの薬剤物質がどの列にあるか見ることができるように、透明な二重膜のＰＳまたはＰＣなどの、透明な材料から作られるのが好ましい。
【００２８】
このカートリッジも射出成型される熱可塑性高分子、特に透明なＰＣから作られるのが好ましい。
【００２９】
使用中、この冷蔵庫は例えば獣医の手術室の壁に装着され、ペルチェ素子のスイッチが入れられ、十分に低い温度に到達したとき、頂部扉が開けられ、それぞれが複数のガラス瓶を格納するカートリッジが内部空間内に装填される。各カートリッジまたはカートリッジ群内のガラス瓶は異なるワクチンを格納し、例えば（Ｉｎｔｅｒｖｅｔ（登録商標）製品カタログ２００５に示されるような）ＰＰｉの凍結乾燥ペレット（凍結乾燥剤または「ケーキ（ｃａｋｅ）」）、Ｐａｒｖｏ−Ｃ、Ｃｏｒｏｎａ，ＫＣ、ＤＨＰＰＩ、およびＰｕｐｐｙ  ＤＰを格納するカートリッジを含む。特定のワクチンを投与すべきとき、対応する下側の扉が開かれ、ガラス瓶が適切な列から取り出され、希釈剤、通常は水、油中水乳剤または水中油乳剤が注射可能な物質を得るためにガラス瓶内に注入される。
【００３０】
上記の説明から、本発明による冷蔵庫はよりシステマチックな、安全かつ／または衛生的な使用を容易にしまたは課すことさえし、ガラス瓶の取り出し中に冷蔵庫内部の冷却された空気の限定された量のみしか逃げず、内側温度の相当な低下を実質的に回避することは明らかであろう。
【００３１】
カートリッジは本発明の冷蔵庫を使用する人、例えば獣医または補助者によって個々のガラス瓶で満たすことができるが、既存の経路を通じて事前充填されたカートリッジまたはガラス瓶の列を格納する事前充填された（前面）ハウジングさえ流通させることが好ましい。
【００３２】
本発明は、特許請求の範囲内で多数の方法で変更することができる上記で説明した実施形態に限定されない。例えば、キャビネットは事前充填された注射器または希釈剤を貯蔵するための追加の仕切り室を備えるのが好ましい。注射可能な物質の冷やし過ぎを防止するために、この冷却（ペルチェ）要素は、希釈剤を貯蔵するための仕切り室にわたって延びないこと、またはこの仕切り室が冷却要素から隔離されることが好ましい。
【図面の簡単な説明】
【００３３】
【図１】上扉および底部扉が開いている、本発明による冷蔵庫の斜視図である。
【図２Ａ】冷蔵庫に使用するのに適した、空のカートリッジの斜視図である。
【図２Ｂ】冷蔵庫に使用するのに適した、充填されたカートリッジの斜視図である。
【図１】
2008545485.tif 000003
【図２Ａ】
2008545485.tif 000004
【図２Ｂ】
2008545485.tif 000005
【国際調査報告】
2008545485.tif 000006
2008545485.tif 000007
2008545485.tif 000008